(57)【要約】      （修正有）【課題】低周波パルスの強弱を簡易にでき、治療者本人のみでも安全に使用可能であり、携帯性に優れ、急な患部の痛みに対応できる低周波治療器の提供。【構成】低周波治療器は、複数の棒状の導電部材を有する低周波パルス発信部と、低周波パルスの発信の有無、強弱、電源を表示する表示部と、電圧を変換するトランスと、表示、電圧・電流等を制御する制御部と、音を発信する音声発信部と、表示部、トランス、制御部、音声発信部、バッテリーを被覆するボディーと、ボディーの一面に設けられた第１のアースと、導電部、表示部、制御部、バッテリー等の少なくとも１つに連繋された第２のアースを接続可能なピンジャックと、で構成される。【選択図】図１
0003115414.tif 000002
【実用新案登録請求の範囲】
【請求項１】
治療者本人のみで簡易に使用可能な電池電源を内蔵した低周波治療器であって、
この低周波治療器は、
複数の棒状の導電部材を有する低周波パルス発信部と、
低周波パルスの発信の有無、強弱、電源のＯＮ／ＯＦＦを表示する表示部と、
電圧を変換するトランスと、
前記表示部による表示、電圧、電流、低周波パルスの発信の有無、強弱及び電源のＯＮ／ＯＦＦを制御する制御部と、
前記制御部の制御により音を発信する音声発信部と、
前記表示部、前記トランス、前記制御部、前記音声発信部及びバッテリーを被覆するボディーと、
前記ボディーの側面に設けられた第１のアースと、
前記導電部、前記表示部、前記トランス、前記制御部、前記音声発信部、前記第１のアース、前記バッテリーの少なくとも１つに連繋され、第２のアースのピンプラグを接続することにより、アースが切り替わるピンジャックと、
で構成された低周波治療器。
【請求項２】
前記ボディーのロアーボディーに、前記導電部、トランスを取り付け、また、前記ボディーのアッパーボディーに前記表示部、制御部、音声発信部を配線したプリント基板を取り付け、また、前記ロアーボディーとアッパーボディーの側面に第１のアースを取り付け、また、前記アッパーボディーの上面に切欠き部を設け、この切欠き部に前記バッテリーを設け、前記バッテリーをバッテリーカバーで蓋をする構成としたことを特徴とする請求項１に記載の低周波治療器。
【考案の詳細な説明】
【技術分野】
【０００１】
本願考案は、身体における筋肉の患部の痛みを取り除くことを目的とした低周波治療器に関する。
【背景技術】
【０００２】
従来の低周波治療器は、身体の局部に低周波電流を導通し、電気的刺激により細胞を復活させることを目的としたものである。しかし、従来のものは非常に大型のものが主流であり、家庭で使用できるものは非常に少なかった。また、従来は、パットを２枚人体に貼り付けて通電するタイプのものが多かった。そこで、小型で家庭でも使用できる低周波治療器が発明され出願された。
【０００３】
文献（１）は、再公表特許Ｗ００２／０００２９５「低周波治療器」であり、低周波パルス電流を発生する低周波パルス発生回路を内蔵した筒体の一側に握り部が設けられていると共に、筒体の下側に低周波パルスを人体に伝える複数の針状の導電体が突設されており、握り部の側面にアース電導部が露出されていることを特徴とする。
【０００４】
文献（２）は、特開平７−１１６２６４号「電気マッサージ器」であり、把手部とこの把手部の先端側に設けられた振動発生ヘッド部と、この振動発生ヘッド部の表面上に設けられた低周波電極部とを備え、振動発生ヘッド部に低周波電極部を覆うカバーを設けるとともに、カバーが開いたときには低周波治療のみ可能状態とする一方、カバーが閉じたときには振動治療のみ可能状態とするようにカバーの開閉に連動して作動する選択スイッチを設けたことを特徴とする。
【０００５】
【特許文献１】再公表特許Ｗ００２／０００２９５
【特許文献２】特開平７−１１６２６４号
【考案の開示】
【考案が解決しようとする課題】
【０００６】
従来の低周波治療器においては、非常に大型のものが多く、家庭で簡易に使用できるものが少なかった。また、家庭で使用できるものであっても、簡易に使用できるものはなく、構成も複雑であるものが多かった。また、パットを２枚人体に貼り付けて使用するので、強い電流が発生した場合にすぐに取り外すことが困難であり、感電による火傷の虞や、人体に影響を及ぼす虞があった。また、人体へパットを装着するために配線しなければならず、使用の際に場所を選ぶこと、配線ミス、ショートによる感電等の虞もあり、安全性の面で問題があった。
【０００７】
文献（１）は、アース手段があり、使用者の感電等を防止することができるが、サイズが大きく、実際の使用に無理が生じること、出力電流が大きく、電池電源での使用が難しく、一人での使用に困難が生じること等の課題がある。
【０００８】
文献（２）は、振動発生ヘッド部と低周波電極部と別々に稼動することが可能であるが、低周波による患部の的確な治療には疑問が残る。また、振動発生ヘッド部と、低周波電極部とを備えており、構成が複雑であること、そのため故障の原因となり、実際の使用に無理が生じること、出力電流が大きく、電池電源での使用が難しいこと、また、製造工程が複雑化すること等の課題がある。
【課題を解決するための手段】
【０００９】
本考案は、出力電流が少ないため、治療者本人のみで簡易かつ安全に使用可能な低周波治療器を提供すること、持ち運びが容易であり、急な患部の痛み等にも対応することができること、パット及び配線による安全面での不備の解消等を意図する。
【００１０】
請求項１は、治療者本人のみで簡易に使用可能な電池電源を内蔵した低周波治療器であって、
この低周波治療器は、
複数の棒状の導電部材を有する低周波パルス発信部と、
低周波パルスの発信の有無、強弱、電源のＯＮ／ＯＦＦを表示する表示部と、
電圧を変換するトランスと、
前記表示部による表示、電圧、電流、低周波パルスの発信の有無、強弱及び電源のＯＮ／ＯＦＦを制御する制御部と、
制御部の制御により音を発信する音声発信部と、
表示部、トランス、制御部、音声発信部及びバッテリーを被覆するボディーと、
ボディーの一面（側面）に設けられた第１のアースと、
導電部、表示部、トランス、制御部、音声発信部、第１のアース、バッテリーの少なくとも１つに連繋され、第２のアースのピンプラグを接続することにより、アースが切り替わるピンジャックと、
で構成された低周波治療器である。
【００１１】
本考案は、配線の接触による漏電、ショートを防止することを意図し、混雑無く配線し収納することによる低周波治療器のコンパクト化を図る。
【００１２】
請求項２は、ボディーのロアーボディーに、導電部、トランスを取り付け、また、ボディーのアッパーボディーに表示部、制御部、音声発信部を配線したプリント基板を取り付け、また、ロアーボディーとアッパーボディーの側面に第１のアースを取り付け、また、アッパーボディーの上面に切欠き部を設け、この切欠き部にバッテリーを設け、バッテリーをバッテリーカバーで蓋をする構成とした低周波治療器である。
【考案の効果】
【００１３】
請求項１は、治療者本人のみで簡易に使用可能な電池電源を内蔵した低周波治療器であって、複数の棒状の導電部材を有する低周波パルス発信部と、低周波パルスの発信の有無、強弱、電源のＯＮ／ＯＦＦを表示する表示部と、電圧を変換するトランスと、表示部による表示、電圧、電流、低周波パルスの発信の有無、強弱及び電源のＯＮ／ＯＦＦを制御する制御部と、制御部の制御により音を発信する音声発信部と、表示部、トランス、制御部、音声発信部及びバッテリーを被覆するボディーと、ボディーの一面（側面）に設けられた第１のアースと、導電部、表示部、トランス、制御部、音声発信部、第１のアース、バッテリーの少なくとも１つに連繋され、第２のアースのピンプラグを接続することにより、アースが切り替わるピンジャックと、で構成された低周波治療器である。
【００１４】
従って、低周波パルスの強弱等を切替スイッチ又はアースの使用により簡易にできるため、治療者本人のみでも簡易かつ安全に使用可能な低周波治療器を提供することができる効果がある。また、本願発明における低周波パルスは、８Ｈｚで最大のパルス波巾は６００μｓｅｃ（１秒間のうち発信時間は８×６００＝４８００μｓｅｃ）であり、出力時間及び出力電流が少なく、省力化が可能であり、電池電源での使用が可能となるため、携帯することができ、持ち運びが容易なため、急な患部の痛み等にも素早く対応することができること、等の効果がある。また、低周波パルスは、本体の側面に設けられた伝導性を有する第１のアースと、本体の底面に設けられた棒状の導電部材の両方に、人体が接触することによって通電するので、故障等により強い電流が流れた場合でも、手を離せばよく、パットの使用や配線における安全面での不備の解消等が可能である。
【００１５】
請求項２は、ボディーのロアーボディーに、導電部、トランスを取り付け、また、ボディーのアッパーボディーに表示部、制御部、音声発信部を配線したプリント基板を取り付け、また、ロアーボディーとアッパーボディーの側面に第１のアースを取り付け、また、アッパーボディーの上面に切欠き部を設け、この切欠き部にバッテリーを設け、バッテリーをバッテリーカバーで蓋をする構成とした低周波治療器である。
【００１６】
従って、配線の接触による漏電、ショートを防止することができ、低周波治療器のコンパクト化を図ることができる効果がある。
【考案を実施するための最良の形態】
【００１７】
本考案を図面を基に説明する。
【００１８】
図１は、本願考案の低周波治療器本体１の斜視図である。低周波治療器本体１は、外見的にはアッパーボディー２、ロアーボディー２１、アッパーボディー２に取付けられるバッテリー１０をカバーするバッテリーカバー２２、導電部（低周波パルス発信部、以下導電部とする。）７等で構成されている。ロアーボディー２１には、導電部７を嵌め込めるように円状に孔があいており、患部に低周波パルスを導電する導電部７をその円状の孔に嵌め込んである。アッパーボディー２とロアーボディー２１の間の側面には、手で握ることにより電気が伝導する伝導表面を有する第１のアース５を装着することが可能である。第１のアースの表面は、クレームメッキで構成されることが望ましい。また、アッパーボディー２とロアーボディー２１の間の底面にはピンジャック６があり、アースコード９に取り付けられたピンプラグ９１を差し込むことにより、第１のアース５は不通となり、第２のアース８を使用することが可能となる。患部が第１のアース５から遠い場合、第２のアース８を接続し、その先端の導電部７を患部の近くに押し当てて、第２のアース８を近くすることにより、患部への通電を強くする。アッパーボディー２には、電源のＯＮ／ＯＦＦのための電源スイッチ３及び、低周波パルスの強弱（実際は低周波パルスの発信時間の長さの違いにより、低周波パルスの強弱を感じるものである。以下、強弱と書いてあるところは同様である。）を切替えるための切替スイッチ３１を露出させるために孔があいており、電源スイッチ３及び切替スイッチ３１はスイッチカバー３２に被覆された状態でアッパーボディー２を貫通して露出する。また、低周波パルスの強弱又は低周波パルスの発生状況を表示するための表示部４を露出するためにアッパーボディー２には孔があいており、アッパーボディー２を貫通して表示部カバー４０を通して、表示部４が露出している。
【００１９】
図２は、導電部７に導電部カバー７１を被せた低周波治療器本体１の斜視図である。低周波治療器本体１を使用しない時に導電部カバー７１を被せることにより、導電部材７２の破損防止を回避することができる。
【００２０】
図３は、低周波治療器本体１のピンジャック６にアースコード９を通じて、第二のアース８を取り付けた状態を表す正面図である。図５のように、自分で低周波治療器本体１を使用する際には、手Ａで第２のアース８を持ち、患部（図５の場合は足Ｂ）に導電部７の導電部材７２を当てることによって、低周波治療を行う。また、患部が第１のアース５から遠い場合には、ピンプラグ９１によってピンジャック６に差し込まれた第２のアース８を手Ａで持ち、先端の導電部７にある導電部材７２を患部の近くに押し当てて、第２のアース８を患部の近くにすることにより、患部への通電を強くする。
【００２１】
図４は、本願考案の分解図である。円状の導電部７には棒状の導電部材７２が複数取付けられている。導電部材７２の先端から低周波パルス（電流）が発生し、患部に当てることによって低周波治療が可能となる。導電部７はロアーボディー２１に固定されている。導電部７は配線コード１２によってトランス１３と連繋されており、トランス１３によって電圧を変換している。トランス１３は、９Ｖの電源を最大で６００Ｖまで増幅することができ、また、周波数の幅と間隔を制御部１１によって調整し、導電部７の導電部材７２から低周波パルスを放出する。トランス１３は制御部１１に配線コード１２を通じて連繋され、制御部１１からバッテリー１０及びピンジャック６に配線コード１２を通じて連繋される。
【００２２】
プリント基盤状の制御部１１は、図６のように低周波パルス発生ランプ（弱）４１、低周波パルス発生ランプ（中）４２、低周波パルス発生ランプ（強）４３、点滅ランプａ４４、点滅ランプｂ４５、点滅ランプｃ４６等のＬＥＤを使用したランプ（４１〜４６で表示部４）、ランプ明度調整部４７、４８及びブザー４９、電源スイッチ３、切替スイッチ３１、トランス接続部１３１、バッテリー接続部１０１、ＣＰＵ１４等が取り付けられている。
【００２３】
電源スイッチ３によって電源のＯＮ／ＯＦＦを切替えることができ、低周波（パルス波（矩形波））の強弱を切替スイッチ３１を押すことによって調整することができる。切替スイッチ３１を一回押すごとに低周波パルス発生ランプ（弱）４１、低周波パルス発生ランプ（中）４２、低周波パルス発生ランプ（強）４３の順にランプが点灯する。また、低周波パルスの発生状態の強弱を、点滅ランプａ４４、点滅ランプｂ４５、点滅ランプｃ４６の青色ＬＥＤを使用して表すことができる。点滅ランプａ４４、点滅ランプｂ４５、点滅ランプｃ４６の順に点滅し、光が流れるように点滅する。低周波パルスが（弱）の場合（低周波パルス発生ランプ（弱）４１に設定されている場合）は、点滅ランプａ４４から、点滅ランプｂ４５、点滅ランプｃ４６への点滅スピードも遅く、低周波パルスが（中）の場合（低周波パルス発生ランプ（中）４２に設定されている場合）、低周波パルスが（強）の場合（低周波パルス発生ランプ（強）４３に設定されている場合）の順で点滅スピードも上昇していく。点滅ランプにより、低周波パルスの強弱や使用状態を視認することができる。尚、低周波の周波数は８Ｈｚであり、低周波パルスの強弱は、電流の流れる時間によって決定し、低周波パルス発生ランプ（弱）４１の時のパルス波長は１００μＳ、低周波パルス発生ランプ（中）４２の時のパルス波長は２００μＳ、低周波パルス発生ランプ（強）４３の時のパルス波長は６００μＳである。つまり、最大でも、低周波パルス発生ランプ（強）４３の時に、１秒間で８Ｈｚ×６００μｓ＝４．８ｍｓｅｃしか電気は流れていない。即ち９９５．２ｍｓｅｃは電気が流れていないので、非常に電力消費が少なく、省エネルギー化が可能であり、また、電池電源での使用が可能である。
【００２４】
ブザー（音声発信部）４９は電源スイッチ３及び切替スイッチ３１を押すごとに音がなり、実際に押されたことを知らせるためのものである。従って、音でも電源スイッチ３及び切替スイッチ３１が押されたことを確認することができる。なお、バッテリー接続部１０１はバッテリー１０と接続され、トランス接続部１３１は、トランス１３と接続している。制御部１１のＣＰＵ１４により、上記の低周波パルス発生状態、強弱、各ランプの点灯及び点滅、電源、ランプ明度、ブザー音等を制御している。
【００２５】
表示部４は制御部１１に設けられた孔に表示部カバー４０を嵌め込むことによって、ＬＥＤランプの破壊防止を図ることができる。なお、表示部は低周波パルス発生ランプ（弱）４１、低周波パルス発生ランプ（中）４２、低周波パルス発生ランプ（強）４３、点滅ランプａ４４、点滅ランプｂ４５、点滅ランプｃ４６等のＬＥＤを使用したランプで構成されているが、表示部４のランプの種類及び数量は限定されない。同様に電源スイッチ３及び切替スイッチ３１にもスイッチカバー３２を被せることによって、電源スイッチ３及び切替スイッチ３１の破壊及び人体への感電を防ぐことが可能である。
【００２６】
ピンジャック６は制御部１１から配線され、第１のアース５と第２のアース８とを、第２のアース８のピンプラグ９１を本体のピンジャック６に差し込むことで切り替えができる。第１のアース５と配線されることによって、放電することなく、感電を防止することができる。第１のアース５は、配線コード１２を連繋するために、凸部がありその凸部に配線コード１２を連繋する。第１のアース５は、アッパーボディー２とロアーボディー２１の間の側部に嵌め込まれ設置される。なお、アッパーボディー２は、配線コード１２の収納及び低周波治療器本体１のコンパクト化、簡易化を可能とするため、凹部２０を設けてある。配線コード１２の先端のバッテリースナップでバッテリー１０と接続する。バッテリー１０はアッパーボディー２も切り欠き部に嵌め込む形で収納される。その際、表示部カバー４０及びスイッチカバー３２で制御部１１の表示部４、電源スイッチ３及び切替えスイッチ３１を覆い、アッパーボディー２の所定の位置に嵌め込む。バッテリー１０には、クッション２３及びバッテリーカバー２２を被せる。
【００２７】
次に、本願考案の使用方法を図面に基づいて説明する。
【００２８】
本願考案の使用方法は、まず、アッパーボディー２のバッテリーカバー２２及びクッション２３を外し、バッテリー１０をアッパーボディー２に設けられた電池ソケットのバッテリースナップに、極性を合わせて嵌め込む。そして、低周波治療器本体１の電源スイッチ３を長押し（約２秒）して電源をＯＮにする。「ピッ」と音が鳴り電源が入ると、表示部４のＬＥＤランプの光が流れながら点滅し、低周波パルス発生ランプ（弱）４１が点滅する。また、電源を入れた際にブザー４９により「ピー」という音が鳴り電源が入るため、視覚及び聴覚によって電源の入った状態（ＯＮの状態）を知ることができる。
【００２９】
次に、導電部カバー７１を外し、実際に人体の患部（図５では足Ｂ）に導電部７の導電部材７２を当てる。導電部材７２を患部に当てる前に、低周波パルスを確実に作用させるため、患部を濡れたタオル等で拭いておくとよい。患部に導電部材７２を当てる際には、低周波治療器本体１を手Ａで握る。この時、第１のアース５に握った手Ａが触れるようにし、導電部材７２を患部に押し当てる。
【００３０】
低周波パルスは８Ｈｚ（１秒間に８回）であり、パルス状の高圧電流を流す。切替スイッチ３１を１回押すとブザー４９より単音で「ピッピッ」と２回音が鳴り、低周波パルス発生ランプ（中）４２のランプが点灯する。もう一度押すと、ブザー４９より「ピッピッピッ」と音が３回鳴り、低周波パルス発生ランプ（強）４３のランプが点灯する。そして、再度もう１回押すことによって、「ピッ」と音が１回鳴り、低周波パルス発生ランプ（弱）４１のランプが点灯し、低周波パルス（弱）になる。ランプの点灯及び音により、視覚及び聴覚によって低周波の強弱を知ることができる。低周波の強度の調整は上記のようにして可能であるが、ランプの数量、点灯色、点滅の有無及び点滅速度等は一例であり、特に限定されない。
【００３１】
低周波パルス発生ランプ（強）４３の時よりも低周波（電流）を強くしたい場合は、アースコード９のピンプラグ９１をピンジャック６に差込み、アースコード９の先端にある第２のアース８を手Ａで握り、患部の近くに押し当てる。すると、電流の発生する両端が近くなることによって、電流をより強く感じることができ、効果が上がる。
【００３２】
前記のように、電流の強さを調整して、患部に一定時間押し当てた後は、電源スイッチを長押しして（約２秒）、電源をＯＦＦの状態にする。すると、ブザー４９から「ピー」と音が鳴り、表示部４のランプが消灯して電源が切れる。前記の低周波パルス発生ランプ４１、４２、４３とは音が異なるため、聴覚によっても電源の状態を確認することができる。
【００３３】
なお、図示しないがタイマー機能がセットされており、指定時間が経過すると（１５分程度が理想的）、自動的に電源が切れるようになっている。これにより、バッテリー１０の節電、漏電防止が可能であり、人体への感電防止も可能である。
【図面の簡単な説明】
【００３４】
【図１】本考案の斜視図である。
【図２】本考案の導電部カバーを被せた状態を表した斜視図である。
【図３】本考案の第２のアースを取り付けた状態を表した平面図である。
【図４】本考案の分解図である。
【図５】本考案の実際の使用例を表した図である。
【図６】本考案の制御部の一例を表した図である。
【図７】本考案の回路図である。
【符号の説明】
【００３５】
１      低周波治療器本体
２      アッパーボディー
２０    凹部
２１    ロアーボディー
２２    バッテリーカバー
２３    クッション
３      電源スイッチ
３１    切替スイッチ
３２    スイッチカバー
４      表示部
４０    表示部カバー
４１    低周波パルス発生ランプ（弱）
４２    低周波パルス発生ランプ（中）
４３    低周波パルス発生ランプ（強）
４４    点滅ランプａ
４５    点滅ランプｂ
４６    点滅ランプｃ
４７    ランプ明度調整部
４８    ランプ明度調整部
４９    ブザー
５      第１のアース
６      ピンジャック
７      導電部
７１    導電部カバー
７２    導電部材
８      第２のアース
９      アースコード
９１    ピンプラグ
１０    バッテリー
１０１  バッテリー接続部
１１    制御部
１２    配線コード
１３    トランス
１３１  トランス接続部
１４    ＣＰＵ
Ａ      手
Ｂ      足
【図１】
0003115414.tif 000003
【図２】
0003115414.tif 000004
【図３】
0003115414.tif 000005
【図４】
0003115414.tif 000006
【図５】
0003115414.tif 000007
【図６】
0003115414.tif 000008
【図７】
0003115414.tif 000009